【事件の表示】
　特願２００５−５５３７０「美白用皮膚外用剤」拒絶査定不服審判事件〔平成１８年９月１４日出願公開、特開２００６−２４１００９〕について、次のとおり審決する。
【結　論】
　本件審判の請求は、成り立たない。
【理　由】
第１　手続の経緯
　本願は、平成１７年３月１日の出願であって、平成２１年１１月９日付けで拒絶理由が通知され、平成２２年１月１２日に手続補正がなされるとともに同日受付けで意見書が提出されたが、同年１１月３０日付けで拒絶査定がなされ、これに対し、平成２３年３月１８日に拒絶査定不服審判の請求がなされ、同年６月２日受付けで審判請求理由の手続補正書（方式）が提出されたものである。
　
第２　本願発明
　本願の請求項１に係る発明は、平成２２年１月１２日受付けの手続補正書の特許請求の範囲の請求項１に記載された事項により特定される以下のとおりのものである。
　
「【請求項１】
下記の（Ａ）〜（Ｅ）を含有することを特徴とする美白用皮膚外用剤。
（Ａ）チロシナーゼ活性阻害作用を有するソウハクヒ抽出物を、更に、合成吸着体ダイヤイオンＨＰ−２０（登録商標）を充填したカラムにより処理した抽出物
（Ｂ）メラニン合成抑制剤として、サンザシ抽出物、セイヨウボダイジュ抽出物、クロレラ抽出物、から選ばれる１種以上の植物抽出物
（Ｃ）活性酸素消去剤として、ワレモコウ抽出物、ボタンピ抽出物、オリーブ葉抽出物、茶抽出物から選ばれる１種以上の植物抽出物
（Ｄ）エストロゲン様作用を有するカッコン抽出物
（Ｅ）ヒアルロニダーゼ阻害作用を有するアセチルチロシン」
　
第３　引用例、周知例、及びそれらの記載事項
１　原査定の拒絶の理由に引用され本出願日前である平成１５年４月９日に頒布された「特開２００３−１０４８３５号公報」（原査定の引用文献１。以下、「引用例１」という。）には、次の事項が記載されている。なお、以下、下線は当審で付与した。
　
（１ａ）「【請求項１】
必須成分として、次の（Ａ）及び（Ｂ）を含有することを特徴とするメラニン生成抑制剤
（Ａ）アロエベラ、アーモンド、エノキタケ、エリンギィ、ゴマ、サンヤク、シイタケ、シメジ、セイヨウタンポポ、セイヨウニワトコ、センキュウ、センブリ、
ソウハクヒ
から選ばれる１種以上の植物抽出物、又はクロレラ抽出物
から選ばれる１種以上
（Ｂ）ウヤク、
ウーロン茶、オリーブ、カッコン
ボタン
から選ばれる１種以上の植物抽出物、又は
Ｎ−アセチルチロシン
【請求項２】
必須成分として、次の（Ａ）及び（Ｂ）を含有することを特徴とする線維芽細胞増殖促進剤
（Ａ）アロエベラ、アーモンド、エノキタケ、エリンギィ、ゴマ、サンヤク、シイタケ、シメジ、セイヨウタンポポ、セイヨウニワトコ、センキュウ、センブリ、
ソウハクヒ
から選ばれる１種以上の植物抽出物、又はクロレラ抽出物
から選ばれる１種以上
（Ｂ）ウヤク、
ウーロン茶、オリーブ、カッコン
ボタン
から選ばれる１種以上の植物抽出物、又は
Ｎ−アセチルチロシン
【請求項３】
請求項第１項から第２項記載のメラニン生成抑制剤、線維芽細胞増殖促進剤の内、何れか１種以上を含有することを特徴とする化粧料組成物
　
（１ｂ）「【０００２】
【従来の技術】人の皮膚色を決定する因子として、表皮中のメラニン量，毛細血管の血流量，食物由来の色素（カロチン），角質層の厚さなどがあるが、これらの内、最も重要な因子としての一つにメラニン色素がある。
いわゆる、肝斑（シミ）、雀卵斑（ソバカス）、日焼け後の皮膚の色素沈着は、皮膚内に存在する色素細胞の活性化によりメラニン色素の生成が著しく亢進したものであり
【０００３】このメラニン色素は表皮基底層及び毛根部，外毛根鞘に存在する色素細胞（メラノサイト）内の小器官であるメラノソームで生成される。
メラニン色素の生成過程は、色素細胞（メラノサイト）内でチロシンにチロシナーゼが活性作用して、チロシンが酸化され、ドーパ、ドーパキノンに変換、更に自動酸化し、ド−パクロム、５，６一ジヒドロキシインドールを経て重合し、最終的にはメラニン色素になる
【０００４】
従って、肌の肝斑（シミ）、雀卵斑（ソバカス）や色黒を防止又は改善するためには、メラニンの生成過程を阻害すること。或いは既に生成されたメラニンを淡色化させることが考えられる
【０００５】又、個体老化或いはこれに伴って起こる各種の疾患等は、分裂し得るすべての細胞の老化（分裂速度や細胞機能の低下）と相関関係があり、
細胞レベルでの老化防止を目的として、細胞賦活剤の探索が数多く行われるようになっている
【０００６】
【発明が解決しようとする課題】しかしながら、前記した美白成分については、処方系中での安定性や溶解性が悪く、澱や分解による異臭、着色が生じ、又、生体レベルにおける効果も充分ではなく、更に皮膚にかぶれを起こす等、安全性の面でも問題があり、満足すべきものではなかった。更に、細胞増殖能についても、動物系由来のものが多く、植物系由来としては、本出願人による、クコが細胞生着率及びコロニー形成促進作用等の細胞賦活物質（特開平０２−１１７６８６）として開示されているが、未だ、植物系・海藻系・発酵物系等のものでは細胞増殖能を有するものは少ないのが現状であった。
【０００７】
【課題を解決するための手段】こうした事情に鑑み、本発明者らはメラニン生成抑制作用、線維芽細胞増殖促進作用がある有用な植物又は海藻、発酵物等を開発のテーマとし、その結果、（Ａ）アロエベラ、アーモンド、エノキタケ、エリンギィ、ゴマ、サンヤク、シイタケ、シメジ、セイヨウタンポポ、セイヨウニワトコ、センキュウ、センブリ、ソウハクヒ、ツクリタケ、トウガラシ、トウキ、トウニン、ドクダミ、ナメコ、ニンジン、バクモンドウ、ハラタケ、ヒメマツタケ、マイタケ、ムクゲ、ヨクイニンから選ばれる１種以上の植物抽出物、又はクロレラ抽出物、酵母抽出物、水溶性β−１，３−グルカン誘導体から選ばれる何れか１種以上に、更に、（Ｂ）ウヤク、ウーロン茶、オリーブ、カッコン、カワラヨモギ、キナノキ、クララ、セイヨウスノキ、ダイオウ、ダイズ、チョウジ、ツルドクダミ、トルメンチラ、ブドウ、ボタン、ホップ、ミチヤナギ、ヤシャ、ユキノシタから選ばれる１種以上の植物抽出物、又は乳清、Ｎ−アセチルチロシン又はその誘導体から選ばれる１種以上、又はアオノリ、アナアオサ、ウミウチワ、キリンサイ、コトジツノマタ、コンブ、スギノリ、テングサ、ヒジキ、ヒジリメン、ヒバマタ、ワカメから選ばれる１種以上の海藻抽出物を
併用（但し、必須成分として単独での使用は除く）することによりメラニン色素の生成を有意に抑え、又、線維芽細胞増殖促進作用を有し、更に肌のシミ、ソバカス又は肌を白く軽減（美白効果）し、又、乾燥肌の改善、肌にツヤ・張りも与えることができる新規で安全性の高いメラニン生成抑制剤又は線維芽細胞増殖促進剤とそれを含有した化粧料組成物を提供する
　
（１ｃ）「【００２０】又、本発明で使用する「
ソウハクヒ（別名：桑白皮）
・・・
【００３５】又、本発明で使用する「
ウーロン茶（別名：烏龍茶）
一般的には、生葉を半発酵したもので良く
【００３６】又、本発明で使用する「
オリーブ
葉及び枝、枝葉
【００３７】又、本発明で使用する「
カッコン（別名：葛根）
・・・
【００４８】又、本発明で使用する「
ボタン（別名：牡丹皮）
・・・
【００５４】又、本発明で使用する「
クロレラ
・・・
【００７４】又、本発明で使用する「
Ｎ−アセチルチロシン
　
（１ｄ）「【００７６】本発明の（Ａ）アロエベラ、アーモンド、エノキタケ、エリンギィ、ゴマ、サンヤク、シイタケ、シメジ、セイヨウタンポポ、セイヨウニワトコ、センキュウ、センブリ、
ソウハクヒ
クロレラ抽出物
そのままメラニン生成抑制剤、又は線維芽細胞増殖促進剤として利用できる他、更に化粧料組成物へ含有できる
【００７７】又、同様に本発明の（Ｂ）ウヤク、
ウーロン茶、オリーブ、カッコン
ボタン
Ｎ−アセチルチロシン
そのままメラニン生成抑制剤、又は線維芽細胞増殖促進剤として利用できるほか、更に化粧料組成物へ含有できる
　
（１ｅ）「【０１１１】（２０）
チロシナーゼ活性阻害剤
ビタミンＣ又はその誘導体（ビタミンＣリン酸エステルマグネシウム塩、ビタミンＣグルコシド等）、ハイドロキノン又はその誘導体（ハイドロキノンベンジルエーテル等）、コウジ酸又はその誘導体、ビタミンＥ又はその誘導体、グルタチオン、過酸化水素、過酸化亜鉛、胎盤エキス、エラグ酸、アルブチン、ルシノール、シルク抽出物、植物エキス（カミツレ、クワ、クチナシ、
ワレモコウ
サンザシ
緑茶
紅茶
　
（１ｆ）「【０１１７】（２６）
過酸化脂質生成抑制剤
β−カロチン、植物エキス（ゴマ培養細胞、アマチャ、オトギリソウ、ハマメリス、チョウジ、メリッサ、エンメイソウ、シラカバ、サルビア、ローズマリー、南天実、エイジツ、イチョウ、
緑茶
　
（１ｇ）「【０１２１】（３０）
エラスターゼ活性阻害剤
フロオロリン酸ジイソプロピル、植物エキス（オウゴン、オトギリソウ、クララ、桑の葉、ケイヒ、ゲンノショウコ、コンフリー、サルビア、セイヨウニワトコ、ボダイジュ、
ボタン
　
（１ｈ）「【０１３８】（製造例１）アロエベラ、アーモンド、エノキタケ、エリンギィ、ゴマ、サンヤク、シイタケ、シメジ、セイヨウタンポポ、セイヨウニワトコ、センキュウ、センブリ、
ソウハクヒ
の各乾燥植物１００ｇを精製水（約８０℃）にて約５時間加温抽出し、濾過して抽出液（乾燥固形分：約０．１〜２．５％）を約１．０ｋｇ得る
【０１３９】（製造例２）アロエベラ、アーモンド、エノキタケ、エリンギィ、ゴマ、サンヤク、シイタケ、シメジ、セイヨウタンポポ、セイヨウニワトコ、センキュウ、センブリ、
ソウハクヒ
の各乾燥植物１００ｇを５０％エタノール溶液に浸漬し、室温にて５昼夜抽出した後、濾過して抽出液（乾燥固形分：約０．１〜２．５％）を約１．０ｋｇ得る
【０１４０】（製造例３）
クロレラ
の各海藻乾燥物１００ｇを精製水（約８０℃）にて約５時間加温抽出し、濾過して抽出液（乾燥固形分：約０．５〜３．０％）を約１．０〜３．０ｋｇ得る
【０１４１】（製造例４）
クロレラ
の各海藻乾燥物１００ｇを５０％エタノール溶液に浸漬し、室温にて５昼夜抽出した後、濾過して抽出液（乾燥固形分：約０．６〜２．０％）を約１．０〜３．０ｋｇ得る
・・・
【０１４５】
市販品のＮ−アセチルチロシン
　
（１ｉ）「【０１４６】（試験１）
メラニン生成抑制作用試験
本発明者は、Ｂ１６メラノーマ細胞をもとにメラニン生成抑制作用を評価することとした。
【０１４７】「試験方法及び評価方法」２４時間前培養したＢ１６メラノーマ細胞を新鮮な培地に移し、これに試料を０．５％添加し、３日間培養する。次に培養処理した細胞をトリプシンで処理し、１Ｎ−ＮａＯＨ，１０％ＤＭＳＯ溶液で加熱溶解後、４２０ｎｍにおける吸光度を測定する。尚、試料の代わりに、ブランクとして蒸留水を用い、又、同時に試料を添加した細胞をＭＴＴ還元法（Ｔｉｍ　Ｍｏｓｍａｎｎ；Ｊｏｕｒｎａｌ　ｏｆ　Ｉｍｍｕｎｏｌｏｇｉｃａｌ　Ｍｅｔｈｏｄｓ　ｐ５５−６３（１９８３）参考）にて活性を測定し、ブランク細胞のＭＴＴ還元活性を１単位として、試料負荷細胞のＭＴＴ還元活性を算出した。試料のメラニン量を、吸光度／ＭＴＴ還元活性（１単位）として算出し、ブランク細胞のメラニン生成量に対する抑制率（％）を次式（数１）により求め、結果は表１〜表４に示した。
「試料」尚、
メラニン生成抑制作用試験の試料は本発明の製造例２及び４で得られた抽出液（固形分濃度：０．５％に調整）
市販のＮ−アセチルチロシンを精製水（固形分濃度０．５％）に溶解したもの
本発明の必須成分を２種以上併用する場合は、各成分の同濃度を加算し、固形分濃度が０．５％になるように調製
【０１４８】〈数１〉
メラニン生成抑制率（％）＝｛１−（試料メラニン量／ブランクメラニン量）｝×１００
【０１４９】
【表１】
・・・
【０１５１】
【表３】
・・・
【０１５３】（試験結果）表１〜４の通り、本発明の（Ａ）成分：アロエベラ抽出物、クロレラ抽出物、酵母抽出物に、更に（Ｂ）成分：ウヤク、ウーロン茶、オリーブ、カッコン、カワラヨモギ、キナノキ、クララ、セイヨウスノキ、ダイオウ、ダイズ、チョウジ、ツルドクダミ、トルメンチラ、ブドウ、ボタン、ホップ、ミチヤナギ、ヤシャ、ユキノシタから選ばれる１種以上の植物抽出物、又は乳清、Ｎ−アセチルチロシン又はその誘導体から選ばれる１種以上、又はアオノリ、アナアオサ、ウミウチワ、キリンサイ、コトジツノマタ、コンブ、スギノリ、テングサ、ヒジキ、ヒジリメン、ヒバマタ、ワカメから選ばれる１種以上の海藻抽出物を
併用して含有したものは、メラニン色素の生成が有意に抑えられ、高いメラニン生成抑制作用を有することが確認された
又、コウジ酸又は本発明の各種成分の単独と比べても、ほぼ同等又はそれ以上のメラニン生成抑制作用を有することが確認にされ、メラニン生成抑制剤として使用できる
尚、その他（Ａ）成分
ソウハクヒ
を併用して含有したものも、コウジ酸又は本発明の各種成分の単独と比べて、ほぼ同等又はそれ以上のメラニン生成抑制作用を有する結果が得られた
【０１５４】（試験２）
線維芽細胞増殖促進試験
本発明者は、皮膚の正常線維芽細胞をもとにし、ＭＴＴ還元法を用いて、細胞増殖促進作用を試験評価することとした。
【０１５５】「試験方法」尚、ＭＴＴ還元法とは、細胞毒性及び細胞賦活評価法（成長及び生存細胞の迅速な色彩定量：Ｔｉｍ　Ｍｏｓｍａｎｎ；Ｊｏｕｒｎａｌ　ｏｆ　Ｉｍｍｕｎｏｌｏｇｉｃａｌ　Ｍｅｔｈｏｄｓ　ｐ５５−６３（１９８３）参考）の一つであり、ＭＴＴ（３−（４，５−ｄｉｍｅｔｈｙｌ−２−ｔｈｉａｚｏｌｙｌ）−２，５−ｄｉｐｈｅｎｙｌｔｅｔｒａｚｏｌｉｕｍ　ｂｒｏｍｉｄｅ）が細胞に取り込まれ、細胞内のミトコンドリアに存在するＮＡＤＨによって還元され開裂し、水不溶性のブルーホルマザンを生成する性質を利用したもので、このブルーホルマザンを酸性イソプロパノールに溶解させ、その吸光度を測定するものである。
【０１５６】「試験の準備」又、本発明者は、あらかじめ細胞が増殖も減少もしないＦＢＳ（牛胎児血清）濃度を検討し、０．５％ＦＢＳ（牛胎児血清）含有ＭＥＭ培地で培養したときこの条件を満たすことを確認し、試験培地の血清濃度０．５％に調製、試験試料のみの線維芽細胞増殖促進作用を定量的に評価できることにした。
【０１５７】「線維芽細胞増殖促進作用の測定」５％ＦＢＳ（牛胎児血清）含有ＭＥＭ培地を用い、ヒト皮膚線維芽細胞（ＮＢ１ＲＧＢ　理研ジーンバンク・細胞開発銀行より購入）を５×１０３Ｃｅｌｌ／Ｗｅｌｌの密度で９６Ｗｅｌｌｓ　ｐｌａｔｅに分注し、２４時間５％ＣＯ２、３７℃の条件で培養した。その後、各濃度の試料（製造例１：各種植物抽出液）を添加した０．５％ＦＢＳ含有ＭＥＭ培地に交換した。このときブランクは試料を含まない０．５％ＦＢＳ含有ＭＥＭ培地とし、３日毎に同様の培地に交換しながら、９日間ＣＯ２インキュベーター内で培養を続け、ＭＴＴ還元法により、ブランクに対する試料添加群の細胞を測定した。
「線維芽細胞増殖促進作用の評価方法」得られた結果より下記の基準にて評価を行い、結果を表５〜８に示した。
線維芽細胞増殖促進作用として、強く細胞増殖したものを＋＋＋、細胞増殖したものを＋＋、わずかに細胞増殖したものを＋、細胞増殖しないものを±、細胞が減少したものを−とした
「試料」尚、
線維芽細胞増殖促進作用試験の試料は本発明の製造例１及び３で得られた抽出液（固形分濃度：０．５％に調整）
市販のＮ−アセチルチロシンを精製水（固形分濃度０．５％）に溶解したもの
本発明の必須成分を２種以上併用する場合は、各成分の同濃度を加算し、固形分濃度が０．５％になるように調製
【０１５８】
【表５】
・・・
【０１６０】
【表７】
・・・
【０１６２】（試験結果）表５〜８の通り、本発明の（Ａ）：アロエベラ抽出物、クロレラ抽出物、酵母抽出物に、更に（Ｂ）：ウヤク、ウーロン茶、オリーブ、カッコン、カワラヨモギ、キナノキ、クララ、セイヨウスノキ、ダイオウ、ダイズ、チョウジ、ツルドクダミ、トルメンチラ、ブドウ、ボタン、ホップ、ミチヤナギ、ヤシャ、ユキノシタから選ばれる１種以上の植物抽出物、又は乳清、Ｎ−アセチルチロシン又はその誘導体から選ばれる１種以上、又はアオノリ、アナアオサ、ウミウチワ、キリンサイ、コトジツノマタ、コンブ、スギノリ、テングサ、ヒジキ、ヒジリメン、ヒバマタ、ワカメから選ばれる１種以上の海藻抽出物を
併用して含有したものは、強い線維芽細胞増殖促進作用を有することが確認された
本発明の各種成分の単独と比べても、ほぼ同等又はそれ以上の線維芽細胞増殖促進作用を有することが確認にされ、線維芽細胞増殖促進剤として使用できる
尚、その他（Ａ）成分
ソウハクヒ
併用して含有したものも、本発明の各種成分の単独と比べて、ほぼ同等又はそれ以上の線維芽細胞増殖促進作用を有する結果が得られた
　
（１ｊ）「【０１６７】
（処方例１）乳液　　　　　　　　　　　　　　　　　　　　　　　質量％
　１．スクワラン　　　　　　　　　　　　　　　　　　　　　　５．０
　２．ホホバ油　　　　　　　　　　　　　　　　　　　　　　　５．０
　３．セチルアルコール　　　　　　　　　　　　　　　　　　　１．５
　４．グリセリンモノステアレート　　　　　　　　　　　　　　２．０
　５．ポリオキシエチレン（２０）セチルエーテル　　　　　　　３．０
　６．ポリオキシエチレン（２０）ソオルビタンモノオレート　　２．０
　７．１，３−ブチレングリコール　　　　　　　　　　　　　　１．０
　８．グリセリン　　　　　　　　　　　　　　　　　　　　　　２．０
　９．Ａ−１：製造例２のアロエベラ抽出物
　　　Ａ−２：製造例２のアーモンド抽出物
　　　Ａ−３：製造例２のエノキタケ抽出物
　　　Ａ−４：製造例２のエリンギィ抽出物
　　　Ａ−５：製造例２のゴマ抽出物
　　　Ａ−６：製造例２のサンヤク抽出物
　　　Ａ−７：製造例２のシイタケ抽出物
　　　Ａ−８：製造例２のシメジ抽出物
　　　Ａ−９：製造例２のセイヨウタンポポ抽出物
　　　Ａ−１０：製造例２のセイヨウニワトコ抽出物
　　　Ａ−１１：製造例２のセンキュウ抽出物
　　　Ａ−１２：製造例２のセンブリ抽出物
　　　Ａ−１３：製造例２のソウハクヒ抽出物
　　　Ａ−１４：製造例２のツクリタケ抽出物
　　　Ａ−１５：製造例２のトウガラシ抽出物
　　　Ａ−１６：製造例２のトウキ抽出物
　　　Ａ−１７：製造例２のトウニン抽出物
　　　Ａ−１８：製造例２のドクダミ抽出物
　　　Ａ−１９：製造例２のナメコ抽出物
　　　Ａ−２０：製造例２のニンジン抽出物
　　　Ａ−２１：製造例２のバクモンドウ抽出物
　　　Ａ−２２：製造例２のハラタケ抽出物
　　　Ａ−２３：製造例２のヒメマツタケ抽出物
　　　Ａ−２４：製造例２のマイタケ抽出物
　　　Ａ−２５：製造例２のムクゲ抽出物
　　　Ａ−２６：製造例２のヨクイニン抽出物
　　　Ａ−２７：製造例４のクロレラ抽出物
　　　Ａ−２８：製造例６の酵母抽出物
　　　Ａ−２９：製造例５の水溶性β−１，３−グルカン
　　　※Ａ−１〜Ａ−２９の何れか１種の抽出物　　　　　　　　５．０
１０．Ｂ−１：製造例２のウヤク抽出物
　　　Ｂ−２：製造例２のウーロン茶抽出物
　　　Ｂ−３：製造例２のオリーブ抽出物
　　　Ｂ−４：製造例２のカッコン抽出物
　　　Ｂ−５：製造例２のカワラヨモギ抽出物
　　　Ｂ−６：製造例２のキナノキ抽出物
　　　Ｂ−７：製造例２のクララ抽出物
　　　Ｂ−８：製造例２のセイヨウスノキ抽出物
　　　Ｂ−９：製造例２のダイオウ抽出物
　　　Ｂ−１０：製造例２のダイズ抽出物
　　　Ｂ−１１：製造例２のチョウジ抽出物
　　　Ｂ−１２：製造例２のツルドクダミ抽出物
　　　Ｂ−１３：製造例２のトルメンチラ抽出物
　　　Ｂ−１４：製造例２のブドウ抽出物
　　　Ｂ−１５：製造例２のボタン抽出物
　　　Ｂ−１６：製造例２のホップ抽出物
　　　Ｂ−１７：製造例２のミチヤナギ抽出物
　　　Ｂ−１８：製造例２のヤシャ抽出物
　　　Ｂ−１９：製造例２のユキノシタ抽出物
　　　Ｂ−２０：製造例７の乳清
　　　Ｂ−２１：市販品のＮ−アセチルチロシン溶解液
　　　Ｂ−２２：製造例４のアオノリ抽出物
　　　Ｂ−２３：製造例４のアナアオサ抽出物
　　　Ｂ−２４：製造例４のウミウチワ抽出物
　　　Ｂ−２５：製造例４のキリンサイ抽出物
　　　Ｂ−２６：製造例４のコトジツノマタ抽出物
　　　Ｂ−２７：製造例４のコンブ抽出物
　　　Ｂ−２８：製造例４のスギノリ抽出物
　　　Ｂ−２９：製造例４のテングサ抽出物
　　　Ｂ−３０：製造例４のヒジキ抽出物
　　　Ｂ−３１：製造例４のヒジリメン抽出物
　　　Ｂ−３２：製造例４のヒバマタ抽出物
　　　Ｂ−３３：製造例４のワカメ抽出物
　　　※Ｂ−１〜Ｂ−３３の何れか１種の抽出物　　　　　　　　５．０
１１．防腐剤（パラオキシ安息香酸エステル）　　　　　　　　　　適量
１２．香料　　　　　　　　　　　　　　　　　　　　　　　　　　適量
１３．精製水　　　　　　　　　　　　　　　　　　　１００とする残余」
　
（１ｋ）「【０１７３】
（処方例７）
カーマインローション（液〜固型）
　１．グリセリン　　　　　　　　　　　　　　　　　　　　　　３．０
　２．１，３−ブチレングリコール　　　　　　　　　　　　　　５．０
　３．１，２−ペンタンジオール　　　　　　　　　　　　　　　１．０
　４．エタノール　　　　　　　　　　　　　　　　　　　　　１５．０
　５．酸化鉄（ベンガラ）　　　　　　　　　　　　　　　　　　０．２
　６．酸化亜鉛　　　　　　　　　　　　　　　　　　　　　　　０．５
　７．カオリン　　　　　　　　　　　　　　　　　　　　　　　２．０
　８．ゴマ種子５０％プロピレングリコール抽出液　　　　　　　２．０
　９．セイヨウタンポポ全草５０％プロピレングリコール抽出液　２．０
１０．ニンジン根茎５０％プロピレングリコール抽出液　　　　　２．０
１１．
クロレラ５０％プロピレングリコール抽出液
１２．
ウーロン茶葉又は枝葉５０％プロピレングリコール抽出液
１３．ツルドクダミ根茎又は根皮５０％プロピレングリコール抽出液
　　　　　　　　　　　　　　　　　　　　　　　　　　　　　　２．０
１４．
ボタン根又は根茎５０％プロピレングリコール抽出液
１５．オタネニンジン根５０％プロピレングリコール抽出液　　　１．０
１６．豚プラセンタ酵素分解液　　　　　　　　　　　　　　　　１．０
１７．カンファー　　　　　　　　　　　　　　　　　　　　　　０．２
１８．フェノール　　　　　　　　　　　　　　　　　　　　　　０．０３
１９．防腐剤（感光素２０１＆４０１号）　　　　　　　　　　　　適量
２０．香料（菩提樹水）　　　　　　　　　　　　　　　　　　　　適量
２１．精製水　　　　　　　　　　　　　　　　　　　１００とする残余」
　
（１ｌ）「【０１８１】
（処方例１５）
サンスクリーン化粧品（Ｏ／Ｗ型）
　１．オキシベンゾン　　　　　　　　　　　　　　　　　　　　２．０
　２．パラメトキシケイ皮酸オクチル　　　　　　　　　　　　　５．０
　３．スクワラン　　　　　　　　　　　　　　　　　　　　　１０．０
　４．ワセリン　　　　　　　　　　　　　　　　　　　　　　　５．０
　５．ステアリルアルコール　　　　　　　　　　　　　　　　　３．０
　６．ステアリン酸　　　　　　　　　　　　　　　　　　　　　３．０
　７．グリセリルモノステアレート　　　　　　　　　　　　　　２．０
　８．ポリアクリル酸エチル　　　　　　　　　　　　　　　　　１．０
　９．１，３−ブチレングリコール　　　　　　　　　　　　　　６．０
１０．エデト酸二ナトリウム　　　　　　　　　　　　　　　　　０．１
１１．トリエタノールアミン　　　　　　　　　　　　　　　　　１．０
１２．二酸化チタン　　　　　　　　　　　　　　　　　　　　　５．０
１３．製造例５の水溶性β−１，３−グルカン　　　　　　　　　０．５
１４．
Ｎ−アセチルチロシン溶解液
１５．スイカズラ全草５０％ジプロピレングリコール抽出液　　　０．５
１６．
桑白皮５０％ジプロピレングリコール抽出液
１７．紫根５０％ジプロピレングリコール抽出液　　　　　　　　０．５
１８．オトギリソウ全草ジプロピレングリコール抽出液　　　　　１．５
１９．柴胡根５０％ジプロピレングリコール抽出液　　　　　　　１．５
２０．防腐剤（パラオキシ安息香酸ベンジル）　　　　　　　　　　適量
２１．香料（ジャスミン水）　　　　　　　　　　　　　　　　　　適量
２２．精製水　　　　　　　　　　　　　　　　　　　１００とする残余」
　
（１ｍ）「【０１９８】（試験６）
使用効果試験
本発明の化粧料組成物を実際に使用した場合の効果について検討を行った。
使用テストは乾燥肌やツヤ・張りのない肌で悩む人、及びシミ、ソバカス、色黒で悩む人３０〜６０歳の各１０名をパネラーとし、毎日、朝と夜の２回、洗顔後に処方例１の乳液の適量を顔面に３ヶ月に渡って塗布することにより行った
対照には、乳液から本発明の必須成分（Ａ）又は（Ｂ）を１種だけ配合したものを同様な方法にて処方したものを用いた
【０１９９】「
皮膚感触改善効果
有　　効：乾燥肌や肌のツヤ・張りが増し、肌が改善された。
やや有効：乾燥肌や肌のツヤ・張りがやや増し、肌がやや改善された。
無　　効：使用前と変化なし。
【０２００】「
シミ・ソバカス＆皮膚色改善効果
有　　効：シミ・ソバカスや肌の色が白く、軽減された。
やや有効：シミ・ソバカスや肌の色が白く、やや軽減された。
無　　効：使用前と変化なし。
【０２０１】
【表９】
・・・
【０２０３】
【表１１】
・・・
【０２０５】（試験結果）表９〜１２通り、本発明の（Ａ）成分：アロエベラ抽出物、クロレラ抽出物、酵母抽出物に、更に（Ｂ）成分：ウヤク、ウーロン茶、オリーブ、カッコン、カワラヨモギ、キナノキ、クララ、セイヨウスノキ、ダイオウ、ダイズ、チョウジ、ツルドクダミ、トルメンチラ、ブドウ、ボタン、ホップ、ミチヤナギ、ヤシャ、ユキノシタから選ばれる１種以上の植物抽出物、又は乳清、Ｎ−アセチルチロシン又はその誘導体から選ばれる１種以上、又はアオノリ、アナアオサ、ウミウチワ、キリンサイ、コトジツノマタ、コンブ、スギノリ、テングサ、ヒジキ、ヒジリメン、ヒバマタ、ワカメから選ばれる１種以上の海藻抽出物を
併用添加した乳液は、有意に乾燥肌を改善し、肌にツヤ・張りを与え、又、シミ・ソバカス・肌の色も白く軽減された
尚、本発明の各種単独成分の処方品と比べても、強い効果が認められた
尚、その他（Ａ）成分
ソウハクヒ
併用添加した乳液についても、乾燥肌を改善し、肌にツヤ・張りを与え、又、シミ・ソバカス・肌の色も白く軽減され、本発明の各種単独成分の処方品と比べても、上記と同等な強い効果が認められた
　
（１ｎ）「【０２０６】
【発明の効果】本発明は、必須成分として、（Ａ）アロエベラ、アーモンド、エノキタケ、エリンギィ、ゴマ、サンヤク、シイタケ、シメジ、セイヨウタンポポ、セイヨウニワトコ、センキュウ、センブリ、ソウハクヒ、ツクリタケ、トウガラシ、トウキ、トウニン、ドクダミ、ナメコ、ニンジン、バクモンドウ、ハラタケ、ヒメマツタケ、マイタケ、ムクゲ、ヨクイニンから選ばれる１種以上の植物抽出物、又はクロレラ抽出物、酵母抽出物、水溶性β−１，３−グルカン誘導体から選ばれる何れか１種以上に、更に、（Ｂ）ウヤク、ウーロン茶、オリーブ、カッコン、カワラヨモギ、キナノキ、クララ、セイヨウスノキ、ダイオウ、ダイズ、チョウジ、ツルドクダミ、トルメンチラ、ブドウ、ボタン、ホップ、ミチヤナギ、ヤシャ、ユキノシタから選ばれる１種以上の植物抽出物、又は乳清、Ｎ−アセチルチロシン又はその誘導体から選ばれる１種以上、又はアオノリ、アナアオサ、ウミウチワ、キリンサイ、コトジツノマタ、コンブ、スギノリ、テングサ、ヒジキ、ヒジリメン、ヒバマタ、ワカメから選ばれる１種以上の海藻抽出物を
併用添加したメラニン生成抑制剤又は線維芽細胞増殖促進剤とそれを含有した化粧料組成物は、優れたメラニン生成抑制作用を有し、又、シミ・ソバカス又は肌の色も白く軽減（美白効果）でき、更に線維芽細胞増殖促進作用も有し、乾燥肌を改善、肌にツヤ・張りを与えることができる。尚、人・動物に対しても安全であり、その他、一般的な飲食品類への利用も可能である
　
２　原査定の拒絶の理由に引用され本出願日前である平成６年１２月６日に頒布された「特開平６−３３６４１８号公報」（原査定の引用文献２。以下、「引用例２」という。）には、次の事項が記載されている。
　
（２ａ）「【請求項１】次の成分（Ａ）及び（Ｂ）
（Ａ）プロアントシアニジン
（Ｂ）
チロシナーゼ活性阻害剤
を有効成分として含有することを特徴とする化粧料。
・・・
【請求項３】
チロシナーゼ活性阻害剤が
ソウハクヒ抽出物
サンザシ抽出物
　
（２ｂ）「【００３２】
【表１】
」
　
３　原査定の拒絶の理由に引用され本出願日前である平成９年１２月１６日に頒布された「特開平９−３２３９１５号公報」（原査定の引用文献４。以下、「引用例３」という。）には、次の事項が記載されている。
　
（３ａ）「【請求項１】
Ｎ−アセチルチロシン
を有効成分として含有するメラニン生成抑制剤
【請求項２】
Ｎ−アセチルチロシン誘導体を有効成分として含有する請求項１記載のメラニン生成抑制剤を配合した皮膚外用剤
　
（３ｂ）「【０００６】本発明者らは、効果が高くしかも実用性を兼ね備えた新規な美容成分の開発を目的となし鋭意研究を重ねてきた。その結果、前記のＮ−アセチルチロシン誘導体が、メラニン生成抑制作用を有すること、また同時に標記の問題点を解決することのできる極めて有用な成分であることを見い出した。そして、
標記成分を皮膚外用剤や浴用剤に応用することにより、シミ、ソバカス等の防止や改善に有効であることの他に、肌荒れ、カサツキの予防や改善、肌のキメを整る（肌質そのものの改善）効果、保湿といった優れた美肌効果が得られる
　
（３ｃ）「【００４６】１）ローションの製造例
次の処方によりローションを製造した。
　　　　　　　　　　　　　　　　　　　　　　　　　　　　　重量％
　１．ソルビット　　　　　　　　　　　　　　　　　　　　　　２
　２．１，３−ブチレングリコール　　　　　　　　　　　　　　２
　３．ポリエチレングリコール１０００　　　　　　　　　　　　１
　４．ポリオキシエチレンオレイルエーテル（２５Ｅ．Ｏ．）　　２
　５．エタノール　　　　　　　　　　　　　　　　　　　　　１０
　６．
Ｎ−アセチルチロシン
　７．乳酸ナトリウム　　　　　　　　　　　　　　　　　　０．２
　８．ｐＨ調整剤　　　　　　　　　　　　　　　　　　　　　適量
　９．防腐剤　　　　　　　　　　　　　　　　　　　　　　　適量
１０．精製水　　　　　　　　　　　　　　　　　１００とする残余」
　
（３ｄ）「【００５３】
【実施例】各種外用製剤の使用試験
実施例で製造したローションおよび浴用剤を男女パネラー（各１５名）に１カ月間自由に使用してもらい使用感についてのアンケート調査を求めた。その結果は、表３の通りである。
【表３】
」
　
４　本出願当時に既に知られていた事項を示す、「蔵多淑子他編、『化粧品ハンドブック』、日光ケミカルズ株式会社他、平成８年１１月１日、３３１、３３６、３３９、３４６、４３０、４３３、４４８、４５５〜４５７、４６２〜４６８頁」（以下、「周知例ア」という。）には、次の事項が記載されている。
　
（ア１）「１．植物抽出物
・・・
植物から抽出される有効成分は，タンニン，フラボノイド，カロチノイド，サポニン，精油などであるが，そのほかに微量成分として，アルカロイド，キノン誘導体，アミノ酸なども含まれており，
抽出技術の進歩により現在では，同一の植物より種々の活性成分を分離することも可能になっている
・・・
　１９９５年現在の化粧品種別許可基準に記載されている植物抽出物を中心に，植物名，起源，抽出方法，主成分，効果を表１４・１にまとめた．」（３３１頁左欄１〜２７行）
　
（ア２）表１４・１には、
“
カッコンエキス
イソフラボン類
ダイドゼイン
“
クロレラエキス
細胞賦活
　“クワ（桑）エキス（Ｍｕｌｂｅｒｒｙ　ｂａｒｋ　ｅｘｔｒａｃｔ），
ソウハクヒ（桑白皮）エキス
モルシン（フラボノイド）およびアンベリフェロン，スコポレチン，アデニン，ベタイン，α，β−アミリン，ベタチンなどのクマリン
美白
　“
チャ（茶）エキス
酸化防止
　
（ア３）「
脂質の過酸化反応は，病理学上，癌や老化との関連で最近特に注目を浴びてきている
すなわち酸化防止剤は
紫外線照射や老化に伴う皮膚成分の酸化防止という意味においても効果が期待されると考えられてきている
　表１９・１に個々の酸化防止剤の概要を示す．」（４３０頁左欄１６〜２２行）
　
（ア４）表１９・１には、
“
茶エキス
茶カテキン類の抗酸化力は，ＢＨＡやビタミンＥより強い
　
（ア５）「７（審決注：○の中に数字の７）動植物抽出物
　
非常に多くの種類の動物や植物の部位からの抽出物が，保湿，抗炎症，抗アレルギー，創傷治癒促進などの作用をもつことが知られており，化粧品に使用されている
抽出物に含まれている有効成分が同定され，また単離され，より高い効果をもつ成分として使用され始めている
　
（ア６）「１．皮膚の老化の原因
・・・
もう一つの考え方は，生体がいろいろな原因により傷害を受けることにより老化するという『分子障害説』である．生体に対する障害因子が蓄積することにより，すなわち細胞のＤＮＡやタンパク質が障害を受けた結果として老化が生じるという考え方である．
この障害因子として最も問題にされているのが『活性酸素』である
・・・
２．皮膚の老化とは
・・・
　皮膚は体の最外部であるためにさまざまな刺激を常に受けており，老化は進行しやすく，老化の徴候も観察されやすい．
これらの皮膚の老化の変化の中で，美容上の観点からみた場合，『しわ』，『しみ』，『くすみ（調色の変化）』，『皮膚の乾燥』が，重要な老化現象であるといえる
・・・
３．皮膚の老化の防止
・・・
（１）紫外線からの防御
・・・
紫外線は，活性酸素を体内に生成し，活性酸素は体内の脂質を攻撃し，脂質を構成成分としている細胞に損傷を与え，老化を促進する
表皮や真皮の構成成分が損傷を受け，肌の弾力が低下し，しわの形成が促進される
チロシナーゼを活性化し，しみも生成する
・・・
（３）乾燥からの防御
　老化により皮表の皮脂量が減少し，また細胞間脂質も減少し，角質層の水分保持機能が低下する．
皮膚はうるおいを失い，かさかさした状態，すなわちドライスキンとなる
保湿剤を使用することにより，乾燥から皮膚を守ることができる
　そのほか，『
皮膚細胞の賦活
色素沈着の抑制
などにより老化を防止することができると考えられている
４．老化防止のための原料
・・・
（２）
酸化防止剤
　
生体内の活性酸素や過酸化脂質の生成を抑制することにより，しわの形成が抑制される
各種植物抽出物（表２・３，２・４）
・・・
（３）
保湿剤
　
保湿効果のある化粧品を皮膚に塗布すると，角化の異常が回復し，角質層の保湿機能が正常になり，小じわが減少する
・・・
（４）
細胞賦活剤
　働きの衰えた細胞に作用し，その機能を活性化させることにより，皮膚の状態を回復させる．細胞賦活剤は，皮膚のターンオーバーを改善し，細胞外のマトリックスの代謝を高める．・・・最近，しわ防止化粧品の原料として注目されているα−ヒドロキシ酸およびビタミンＡ関連原料も細胞賦活剤の一種である．」（４５５頁左欄１１行〜４５７頁左欄１３行）
　
（ア７）表２・３には、
天然抗酸化剤とそれらを含む植物，生薬の例
ビタミンＣの例に茶
フラボノイドの例に葛根（クズ）
　
（ア８）「２．
美白剤の評価方法
　美白剤の開発のためには，有効性の評価法の確立が必要である．平成２年に厚生省が出した『新医薬部外品評価指針作成』（案）の美白に関する項目に，
チロシナーゼ阻害
３．美白剤の各論
　各種美白剤が開発されているが，美白剤のメラニン抑制の作用としてはつぎのようなものがあげられる．
・・・
　以下，上記の医薬部外品主剤を中心に，メラニン抑制作用が報告されているそのほかの美白剤についても簡単にとりあげてみる．
・・・
コウジ酸
　味噌，醤油，酒などに色や風味を与えるコウジカビ（Ａｓｐｅｒｇｉｌｌｕｓ　ｏｒｙｚａｅ）の培養液から単離されたものである．
コウジカビ発酵液からチロシナーゼ酵素を抑制する物質として発見され，メラニン生成抑制作用について種々の研究が行われている
チロシナーゼ酵素を直接抑制し，色素細胞内でメラニンの重合を抑制すると報告されている
・・・
植物エキス
　中国の生薬，ヨーロッパのハーブとも植物エキスは長い歴史をもつ原料であり，化粧品の活性成分として最近特に注目されている．美白剤としての開発も活発に行われ，多くの特許が出願されている．
　
メラニン生成抑制作用が報告されている植物抽出物を表３・４に示す
桑白皮エキス
ワレモコウエキスにはかなり高いチロシナーゼ阻害性が認められる
　
（ア９）表３・４には、メラニン抑制作用をもつ植物抽出物として
“クワエキス，
桑白皮エキス
オキシレスベラトール（２，３’，４，５’−テトラヒドロキシスチルベン）
チロシナーゼ活性抑制
　
５　本出願当時に既に知られていた事項を示す、「五十嵐脩他編、『丸善食品総合辞典』、丸善株式会社、平成１０年３月２５日、２１８〜２１９頁」（以下、「周知例イ」という。）には、次の事項が記載されている。
　
（イ１）「
カテキン類
・・・
　
食品では，茶に多く乾物あたり１０〜２２％に達する
一方，半発酵茶のウーロン茶では酵素的な酸化が紅茶に比べて弱いため，テアフラビンは認められないが，カテキン類は酸化重合物などとなり減少している
　
６　本出願当時に既に知られていた事項を示す、「化学大辞典編集委員会編、『化学大辞典１』、共立出版株式会社、１９９３年６月１日、縮刷版第３４刷発行、６３４頁」（以下、「周知例ウ」という。）には、次の事項が記載されている。
　
（ウ１）「
イソフラボン
・・・
イソフラボン誘導体のうちゲニステインやダイゼインにはエストロン様の作用があることが知られている
　
７　本出願当時に既に知られていた事項を示す、本出願日前である平成９年１１月４日に頒布された「特開平９−２８６７３８号公報」（以下、「周知例エ」という。）には、次の事項が記載されている。
　
（エ１）「【０００４】また、ヒアルロニダーゼは高等動物の各種臓器のリソゾーム、睾丸、皮膚を始めとする様々な個所に存在する生体膜成分ヒアルロン酸の加水分解酵素であり、その生理学的意義については未だ不明な点も多いが、
保湿作用成分であるヒアルロン酸を分解するヒアルロニダーゼの活性亢進により、肌荒れやかさつきが起きるものと考えられている
　
８　本出願当時に既に知られていた事項を示す、本出願日前である平成１５年１月１５日に頒布された「特開２００３−１２４８９号公報」（以下、「周知例オ」という。）には、次の事項が記載されている。
　
（オ１）「【０００５】また、皮膚上には多くの微生物が存在し、ほとんどの人に多数存在するものとしてはＰ．ａｎｎｅｓ（アクネ菌）とＳ．ｅｐｉｄｅｒｍｉｄｉｓ（表皮ブドウ球菌）をあげることができる。そのＰ．ａｃｎｅｓはヒアルロニダーゼというヒアルロン酸を分解する酵素を持っている。その
ヒアルロニダーゼは、角質中のヒアルロン酸を分解し、保湿機能を低下させていると考えられる
ヒアルロニダーゼの活性を阻害することによって、角質中のヒアルロン酸の分解を防ぎ、角質水分量を保持することによって、皮膚の透明感を改善できる
　
９　本出願当時に既に知られていた事項を示す、本出願日前である平成１６年２月１２日に頒布された「特開２００４−４３３５４号公報」（以下、「周知例カ」という。）には、次の事項が記載されている。
　
（カ１）「【０００２】
【従来の技術】
ヒアルロニダーゼは皮膚、血管、関節など生体中に広く分布する高分子多糖であるヒアルロン酸を分解する酵素である。
皮膚のヒアルロン酸は細胞間隙に水を保持し、弾力性、柔軟性、保湿性を保つ役割をしているが、年齢をかさねるにつれて減少し、その結果、シワの形成やかさつきなどの皮膚の老化をもたらす
　
１０　本出願当時に既に知られていた事項を示す、本出願日前である平成１７年１月２０日に頒布された「特開２００５−１５４４５号公報」（拒絶査定の参考文献。以下、「周知例キ」という。）には、次の事項が記載されている。
　
（キ１）「【００１７】
［火棘抽出物の製造方法］
火棘の乾燥果実５．００ｇを
９０℃の熱水５０ｍＬに浸漬し
ダイヤイオンＨＰ−２０（三菱化成工業社製）
１０％エタノール水溶液で洗浄した
次いで、４００ｍＬの４０％エタノール水溶液で溶出し、溶出液を減圧濃縮した後、凍結乾燥して固形物１．０４ｇを得た
これを実施例において火棘抽出物として用いた。」
　
１１　本出願当時に既に知られていた事項を示す、本出願日前である平成１６年１１月２５日に頒布された「特開２００４−３３１５４３号公報」（拒絶査定の参考文献。以下、「周知例ク」という。）には、次の事項が記載されている。
　
（ク１）「【００５３】
（製造例１）
−オニイチゴ抽出物の製造−
バラ科キイチゴ属のオニイチゴ（Ｒｕｂｕｓ　ｅｌｌｉｐｔｉｃｕｓ）の根を粉砕した粗砕物４００ｇに
５０質量％含水エタノールを４０００ｍＬ加え、８０℃にて２時間ゆるく攪拌しながら抽出処理した後
前記両抽出液を合わせて４０℃で減圧濃縮した後、減圧乾燥機で乾燥させてオニイチゴ根の抽出乾燥物６７．６ｇを得た。
【００５４】
（製造例２）
−カジイチゴサイドＦ１の製造−
前記製造例１で得られたオニイチゴ抽出物６０ｇを
ダイヤイオンＨＰ−２０（三菱化学社製）
溶出は（１）水、（２）４０質量％含水メタノール、（３）８０質量％含水メタノール、及び（４）メタノールの順にそれぞれ行い
得られた（３）
８０質量％含水メタノール画分
精製を行って精製物２１１ｍｇを単離した
　
１２　本出願当時に既に知られていた事項を示す、本出願日前である平成１６年１１月１１日に頒布された「特開２００４−３１５４９２号公報」（拒絶査定の参考文献。以下、「周知例ケ」という。）には、次の事項が記載されている。
　
（ケ１）「【００１５】
（抽出物製造例３）
ベルゲニア・リグラータの根茎の乾燥物２００ｇに
５０ｖｏｌ％エタノール溶液３０００ｇを加え、５０℃にて８時間抽出した
合成吸着体ダイヤイオンＨＰ−２０
水洗後、５０ｖｏｌ％エタノール溶液にて溶出し、溶出液を減圧乾固後、５０％エタノール溶液５００ｇに溶解し、抽出物を製した
　
１３　本出願当時に既に知られていた事項を示す、本出願日前である平成１６年３月１８日に頒布された「特開２００４−８３４４２号公報」（拒絶査定の参考文献。以下、「周知例コ」という。）には、次の事項が記載されている。
　
（コ１）「【００１６】
【実験例１】原料からの分画単離
沖縄県宮古島で自生するＢｉｄｅｎｓ　ｐｉｌｏｓａ　Ｌ．ｖａｒ．ｒａｄｉａｔａ（和名タチアワユキセンダングサ）を圃場で無農薬栽培し、刈り取った地上部を洗浄、裁断、蒸煮、圧潰、揉解、乾燥工程を経たものを原料とした。原料５００ｇを
３．５Ｌの水で３回、還流下に抽出し
ダイヤイオンＨＰ−２０カラムに通して水で洗浄
カラムは５０％メタノール、次いでメタノールで溶出した
溶出液（画分Ａ）の半分を７０ｇのＯＤＳカラムに吸着、１０％及び２０％メタノール（画分Ａ１）、３０％メタノール（画分Ａ２）、４０％メタノール（画分Ａ３）、５０％メタノール（画分Ａ４），及びメタノール（画分Ａ５）で段階的にクロマト溶出してそれぞれ分画した
　
第４　引用例に記載された発明
　引用例１の上記（１ａ）の請求項１〜３の記載からみて、引用例１には次の発明（以下、「引用例１発明」という。）が記載されている。
　ここで、引用例１で使われている成分の「（Ａ）」及び「（Ｂ）」という符号は、本願発明で使われている成分の「（Ａ）」、「（Ｂ）」と同じなので、以下、混乱を避けるため、引用例１の「（Ａ）」及び「（Ｂ）」は「（Ａ’）」及び「（Ｂ’）」と表記することとする。
　
「必須成分として次の（Ａ’）及び（Ｂ’）を含有するメラニン生成抑制剤、又は必須成分として次の（Ａ’）及び（Ｂ’）を含有する線維芽細胞増殖促進剤の内、何れか１種以上を含有する化粧料組成物。
（Ａ’）アロエベラ、アーモンド、エノキタケ、エリンギィ、ゴマ、サンヤク、シイタケ、シメジ、セイヨウタンポポ、セイヨウニワトコ、センキュウ、センブリ、ソウハクヒ、ツクリタケ、トウガラシ、トウキ、トウニン、ドクダミ、ナメコ、ニンジン、バクモンドウ、ハラタケ、ヒメマツタケ、マイタケ、ムクゲ、ヨクイニンから選ばれる１種以上の植物抽出物、又はクロレラ抽出物、酵母抽出物、水溶性β−１，３−グルカン誘導体から選ばれる１種以上。
（Ｂ’）ウヤク、ウーロン茶、オリーブ、カッコン、カワラヨモギ、キナノキ、クララ、セイヨウスノキ、ダイオウ、ダイズ、チョウジ、ツルドクダミ、トルメンチラ、ブドウ、ボタン、ホップ、ミチヤナギ、ヤシャ、ユキノシタから選ばれる１種以上の植物抽出物、又は乳清、Ｎ−アセチルチロシン又はその誘導体から選ばれる１種以上、又はアオノリ、アナアオサ、ウミウチワ、キリンサイ、コトジツノマタ、コンブ、スギノリ、テングサ、ヒジキ、ヒジリメン、ヒバマタ、ワカメから選ばれる１種以上の海藻抽出物。」
　
第５　対比
　そこで、本願発明と引用例１発明を対比する。
　
１　引用例１発明の「化粧料組成物」は、メラニン生成抑制剤を配合することができ、「メラニン色素の生成を有意に抑え、・・・肌のシミ、ソバカス又は肌を白く軽減（美白効果）し、・・・化粧料組成物を提供する」と記載されていること（上記（１ｂ）の【０００７】参照）、使用効果試験に際し、「洗顔後に処方例１の乳液の適量を顔面に３ヶ月に渡って塗布することにより行った」と記載されていることからみて（上記（１ｍ）の【０１９８】参照）、美白用で皮膚に適用する化粧料組成物といえる。
　よって、引用例１発明の「化粧料組成物」は、本願発明の「美白用皮膚外用剤」に相当する。
　
２　引用例１の試験１には、引用例１発明に用いられるメラニン生成抑制剤に関し、（Ａ’）成分であるクロレラ抽出物と各種（Ｂ’）成分について、併用成分によるメラニン生成抑制作用を評価したことが記載されており、（Ｂ’）成分としてウーロン茶を用いた評価が示されているから、クロレラ抽出物とウーロン茶とを組み合わせたことが記載されている（上記（１ｉ）の【表３】参照）。
　
　ここで、引用例１発明の（Ａ’）成分の選択肢のうちの上記「クロレラ抽出物」は、本願発明の「（Ｂ）メラニン合成抑制剤として、サンザシ抽出物、セイヨウボダイジュ抽出物、クロレラ抽出物、から選ばれる１種以上の植物抽出物」と、「クロレラ抽出物」である点で共通する。
　
　また、上記試験１の（Ｂ’）成分としての「ウーロン茶」は、ウーロン茶の乾燥植物からの抽出液であり（上記（１ｉ）の【０１４７】及び（１ｈ）の【０１３９】参照）、引用例１の請求項１、２の「ウヤク、ウーロン茶、・・・、ユキノシタから選ばれる１種以上の植物抽出物」との記載から、引用例１発明の（Ｂ’）成分に記載されている「ウーロン茶」は「ウーロン茶抽出物」といえる（上記（１ａ）、（１ｃ）の【００３５】、（１ｈ）の【０１３８】、【０１３９】参照）。これに対し、本願発明の「茶抽出物」は、本願明細書段落【００２０】に「本発明において用いる茶類としては、緑茶（煎茶、焙じ茶、玉露、かぶせ茶、てん茶等）、ウーロン茶，紅茶等の不発酵茶、半発酵茶、発酵茶を挙げることができる。」と記載されていることから、ウーロン茶抽出物を包含する。
　そうすると、引用例１発明の「ウーロン茶抽出物」は、本願発明の「（Ｃ）活性酸素消去剤として、ワレモコウ抽出物、ボタンピ抽出物、オリーブ葉抽出物、茶抽出物から選ばれる１種以上の植物抽出物」と、「茶抽出物」である点で共通する。
　
３　よって、引用例１発明の選択肢のうち、具体的な組み合わせが示されている、「必須成分として次の（Ａ’）及び（Ｂ’）を含有するメラニン生成抑制剤を含有する化粧料組成物。（Ａ’）クロレラ抽出物。（Ｂ’）ウーロン茶抽出物。」は、本願発明の「下記の（Ａ）〜（Ｅ）を含有することを特徴とする美白用皮膚外用剤。（Ａ）チロシナーゼ活性阻害作用を有するソウハクヒ抽出物を、更に、合成吸着体ダイヤイオンＨＰ−２０（登録商標）を充填したカラムにより処理した抽出物（Ｂ）メラニン合成抑制剤として、サンザシ抽出物、セイヨウボダイジュ抽出物、
クロレラ抽出物
茶抽出物
　
４　次に、引用例１発明の（Ａ’）成分の選択肢である植物抽出物の植物の選択肢である「ソウハクヒ」は、「ソウハクヒ抽出物」といえる（上記（１ａ）、（１ｃ）の【００２０】、（１ｈ）の【０１３８】、【０１３９】参照）。したがって、引用例１発明の（Ａ’）成分として「ソウハクヒ抽出物」を選択した場合は、本願発明の「（Ａ）チロシナーゼ活性阻害作用を有するソウハクヒ抽出物を、更に、合成吸着体ダイヤイオンＨＰ−２０（登録商標）を充填したカラムにより処理した抽出物」とは、「ソウハクヒ抽出物」である点で共通する。
　また、引用例１発明の（Ｂ’）成分の選択肢である植物抽出物の植物の選択肢のうちの「カッコン」は、「カッコン抽出物」といえる（上記（１ａ）、（１ｃ）の【００３７】、（１ｈ）の【０１３８】、【０１３９】参照）。したがって、引用例１発明の（Ｂ’）成分として「カッコン抽出物」を選択した場合は、本願発明の「（Ｄ）エストロゲン様作用を有するカッコン抽出物」とは、「カッコン抽出物」である点で共通する。
　そして、引用例１発明の（Ｂ’）成分の選択肢のうちの「Ｎ−アセチルチロシン」と、本願発明の「（Ｅ）ヒアルロニダーゼ阻害作用を有するアセチルチロシン」とは、「アセチルチロシン」である点で共通する。
　
５　以上のことから、両発明は、本願発明の表現を借りて表すと、次の一致点及び相違点を有する。
　
（一致点）
　「下記の（Ｂ）、（Ｃ）を含有する美白用皮膚外用剤。
（Ｂ）クロレラ抽出物
（Ｃ）茶抽出物」
　
（相違点１）
　美白用皮膚外用剤に含有される成分について、本願発明では、（Ａ）のソウハクヒ抽出物、（Ｂ）のクロレラ抽出物、（Ｃ）の茶抽出物、（Ｄ）のカッコン抽出物、及び（Ｅ）のアセチルチロシンのすべてを含有するとしているのに対し、引用例１発明では、（Ｂ）のクロレラ抽出物と、（Ｃ）の茶抽出物の組み合わせは示されているものの、残りの（Ａ）のソウハクヒ抽出物、（Ｄ）のカッコン抽出物、及び（Ｅ）のＮ−アセチルチロシン（アセチルチロシン）については、選択肢として記載されており、これらをも同時に含むとまでは言及していな点
　
（相違点２）
　美白用皮膚外用剤に含有される（Ａ）〜（Ｅ）の成分について、本願発明では、それぞれ「（Ａ）チロシナーゼ活性阻害作用を有する」もの、「（Ｂ）メラニン合成抑制剤」、「（Ｃ）活性酸素消去剤」、「（Ｄ）エストロゲン様作用を有する」もの、及び「（Ｅ）ヒアルロニダーゼ阻害作用を有する」ものと、各成分の作用を特定しているのに対し、引用例１発明ではそのように特定していない点
　
（相違点３）
　美白用皮膚外用剤に含有される（Ａ）成分について、本願発明では、「更に、合成吸着体ダイヤイオンＨＰ−２０（登録商標）を充填したカラムにより処理した抽出物」であると特定しているのに対し、引用例１発明ではそのように特定していない点
　
第６　判断
　そこで、上記相違点１〜３について検討する。
　
１　相違点１について
（１）引用例１には、（Ａ’）成分と（Ｂ’）成分とを「併用・・・することによりメラニン色素の生成を有意に抑え、・・・肌のシミ、ソバカス又は肌を白く軽減（美白効果）」する「化粧料組成物を提供する」ことが記載されている（上記（１ｂ）の【０００７】参照）。
　そして、引用例１発明の（Ａ’）、（Ｂ’）各成分について、それぞれ「そのままメラニン生成抑制剤・・・として利用できる他、更に化粧料組成物へ含有できる」（上記（１ｄ）参照）、と説明されており、試験１では、各成分単独によるメラニン生成抑制作用を評価したことが示されている（上記（１ｉ）の【表１】参照）。
　また、前記試験１では、（Ａ’）成分であるクロレラ抽出物と各種（Ｂ’）成分との併用成分によるメラニン生成抑制作用を評価したことが示されており（上記（１ｉ）の【表３】参照）、（Ａ’）成分であるクロレラ抽出物と（Ｂ’）成分であるウーロン茶抽出物との併用では、それぞれ単独で２３％、６０％のメラニン生成抑制率であったものが（上記（１ｉ）の【表１】参照）、各成分の同濃度を加算し、固形分濃度が０．５％になるように調製して、単独で用いた場合と同じ濃度（固形分濃度：０．５％に調整）となるようにして試験した結果、メラニン生成抑制率が６８％に向上したことが示されており（上記（１ｉ）の【０１４７】、【表３】参照）、「併用して含有したものは、メラニン色素の生成が有意に抑えられ、高いメラニン生成抑制作用を有することが確認された。」（上記（１ｉ）の段落【０１５３】参照）と記載されている。
　これらのことから、引用例１には、（Ａ’）成分と（Ｂ’）成分の少なくとも１種ずつを併用することにより、単独で用いた場合に比べて、よりすぐれたメラニン色素の生成抑制、すなわち、美白効果を有する化粧料組成物を提供することが示されているといえる。
　
（２）また、引用例１の前記試験１には、（Ａ’）成分であるクロレラ抽出物と（Ｂ’）成分であるカッコン抽出物とを併用したものについての評価も示されており、それぞれ単独で２３％、３８％であったものが、併用により４０％のメラニン生成抑制率に向上したことが示されている（上記（１ｉ）の【表１】、【表３】参照）。
　さらに、引用例１には、処方例として、処方例７のカーマインローション（液〜固型）（審決注：日焼け後に使用する収れん化粧水）に、クロレラ抽出液、ウーロン茶葉又は枝葉抽出液とともに、ゴマ種子抽出液、セイヨウタンポポ全草抽出液、ニンジン根茎抽出液（いずれも引用例１発明の（Ａ’）成分）と、ツルドクダミ根茎又は根皮抽出液、ボタン根又は根茎抽出液（いずれも引用例１発明の（Ｂ’）成分；ボタン根又は根茎抽出液は本願発明の（Ｃ）成分のボタンピ抽出物に相当、引用例１の上記（１ｃ）の【００４８】も参照）を配合した処方が示されている（上記（１ｋ）参照）。
　また、処方例１５のサンスクリーン化粧品（Ｏ／Ｗ型）では、水溶性β−１，３−グルカン、スイカズラ全草抽出液、桑白皮抽出液（いずれも引用例１発明の（Ａ’）成分）と、Ｎ−アセチルチロシン溶解液（引用例１発明の（Ｂ’）成分）を配合した処方が示されている（上記（１ｌ）参照）。
　このように、引用例１には、請求項１、２に（Ａ’）成分、（Ｂ’）成分をそれぞれ１種以上選択できることが記載されており（上記（１ａ）参照）、（Ａ’）成分と（Ｂ’）成分に包含される成分を複数併用することは、実施例における具体例として上記処方例７や処方例１５に示されている。
　そして、クロレラ抽出物とウーロン茶抽出物、又はカッコン抽出物との併用によるメラニン抑制作用の向上が示され（上記（１ｉ）の【表１】、【表３】参照）、美白化粧料である処方例１５のサンスクリーン化粧品には、ソウハクヒ抽出物とＮ−アセチルチロシンを配合したことも記載されている（上記（１ｌ）参照）。ここで、ソウハクヒ抽出物及びＮ−アセチルチロシンは、美白化粧料に配合される成分であり、チロシナーゼ活性阻害や、メラニン生成抑制効果が知られている成分である（上記（２ａ）、（２ｂ）、（３ａ）、（ア２）、（ア９）参照）。
　
（３）そうしてみると、引用例１発明において、美白効果の向上を目指して、クロレラ抽出物とウーロン茶抽出物に加えて、１種以上との選択肢として、（Ａ’）成分又は（Ｂ’）成分に明示された、ソウハクヒ抽出物、カッコン抽出物、及びＮ−アセチルチロシンも併用してみることは、当業者が容易に想到し得たことである。
　
（４）また、引用例１発明の化粧料組成物は、繊維芽細胞増殖促進剤を含有してよいものであり、（Ａ’）成分と（Ｂ’）成分とを「併用・・・することにより・・・線維芽細胞増殖促進作用を有し、・・・乾燥肌の改善、肌にツヤ・張りも与えることができる・・・化粧料組成物を提供する」ものでもある（上記（１ｂ）の【０００７】参照）。
　そして、引用例１の試験２では、各成分単独による繊維芽細胞増殖促進作用と、（Ａ’）成分であるクロレラ抽出物と各種（Ｂ’）成分との併用成分による繊維芽細胞増殖促進作用を評価したことが記載されており、（Ａ’）成分であるクロレラ抽出物と（Ｂ’）成分であるカッコン抽出物との組み合わせでは、それぞれ単独で＋（わずかに細胞増殖したもの）、±（細胞増殖しないもの）であったものが、＋＋（細胞増殖したもの）に効果が向上したことや、（Ａ’）成分であるソウハクヒ抽出物は単独でも＋＋の評価であったことが示されている（上記（１ｉ）の【０１５７】、【表５】、【表７】、【０１６２】参照）。
　
（５）さらに、引用例１には、試験６の使用効果試験において、各成分を単独で使用した場合と、（Ａ’）成分であるクロレラ抽出物といずれも（Ｂ’）成分であるウーロン茶抽出物、カッコン抽出物、又はＮ−アセチルチロシンとを併用した場合の「皮膚感触改善効果」と「シミ・ソバカス＆皮膚色改善効果」の評価結果が示され、いずれも併用したことにより効果が改善されたことが示されている（上記（１ｊ）、（１ｍ）参照）。
　
（６）以上（１）〜（３）の点に、（４）〜（５）の点を加味すると、引用例１発明の化粧料組成物において、美白効果と肌質改善効果の向上をも目指して、クロレラ抽出物とウーロン茶抽出物に加えて、ソウハクヒ抽出物、カッコン抽出物、Ｎ−アセチルチロシンを配合することは、なおさら当業者が容易に想到し得たことである。
　
２　相違点２について
（１）引用例１発明の化粧料組成物は、「メラニン色素の生成を有意に抑え、又、線維芽細胞増殖促進作用を有し、更に肌のシミ、ソバカス又は肌を白く軽減（美白効果）し、又、乾燥肌の改善、肌にツヤ・張りも与えることができる新規で安全性の高いメラニン生成抑制剤又は線維芽細胞増殖促進剤とそれを含有した化粧料組成物」（上記（１ｂ）の【０００７】）のとおり、配合成分の作用により、美白効果と肌質改善の両方の効果を図ったものである。
　そして、配合成分の作用として、メラニン生成抑制作用、繊維芽細胞増殖促進作用を記載したものといえる。
　
（２）ところで、引用例１にも、日焼け後の皮膚の色素沈着を防止又は改善するためには、メラニンの生成過程を阻害することや、メラニン色素の生成過程にはチロシナーゼが関与していることが記載されているように（上記（１ｂ）の【０００２】〜【０００４】参照）、美白効果を求める化粧料にメラニン生成抑制作用を有する物質を配合することや、チロシナーゼ活性阻害を評価の指標とすること、すなわちチロシナーゼ活性阻害作用を有する物質を配合することは、本出願前から当業者の技術常識である（上記（ア８）参照）。
　また、引用例１にも、細胞賦活剤が細胞レベルでの老化防止に関与することが記載されているように（上記（１ｂ）の【０００５】参照）、老化防止を求める化粧料には、細胞賦活作用を有する物質を配合することも、本出願前から当業者の技術常識である（上記（ア６）参照）。
　さらに、肌のシミ、ソバカスの生成、乾燥肌、肌のツヤ・張りの減少、すなわち、しわの形成が皮膚の老化現象によるものでもあり、これらの老化現象を防止する化粧料に、酸化防止作用や保湿作用を有する物質を配合することも当業者の技術常識である（上記（ア６）参照）。
　
（３）他方、植物抽出物は、一つの作用のみならず、複数の作用を有することも知られている。すなわち、
ア　引用例１発明に用いられるソウハクヒ抽出物がチロシナーゼ活性阻害作用を有する物質であることは、引用例２の上記（２ａ）、（２ｂ）や、上記（ア２）、（ア８）、（ア９）に記載されているように、本出願前周知の事項である。また、ソウハクヒ抽出物には消炎作用があることも知られている（上記（ア２）、（ア９）参照）。
イ　引用例１発明に用いられるクロレラ抽出物は、メラニン生成抑制作用を有する物質であり（上記（１ａ）、（１ｉ）参照）、かつ細胞賦活作用も有することは、引用例１の記載に加えて、上記（ア２）にあるように、本出願前周知の事項である。また、クロレラ抽出物には保湿作用があることも知られている（上記（ア２）参照）。
ウ　引用例１発明に用いられるウーロン茶抽出物は、活性酸素消去作用を有する物質といえる。すなわち、引用例１の上記（１ｆ）や、上記（ア３）、（ア４）、（ア６）、（ア７）に記載されているように、緑茶抽出物が過酸化脂質生成抑制剤や、抗酸化剤、すなわち活性酸素消去作用を有することは、本出願前周知の事項であり、これが茶カテキン類の作用であること、ウーロン茶抽出物のような半発酵茶抽出物に茶カテキン類が残存していることは、本出願前周知の事項である（上記（ア３）、（ア４）、（イ１）参照）。また、茶抽出物に関してではあるが、チロシナーゼ活性阻害や紫外線吸収作用があることも知られている（上記（１ｅ）、（ア２）参照）。
エ　引用例１発明に用いられるカッコン抽出物は、エストロゲン様作用を有する物質といえる。すなわち、カッコン抽出物にダイゼインなどのイソフラボン類が含まれること、ダイゼインなどのイソフラボン類がエストロゲン様作用を有する物質であることは、本願明細書段落【００２１】や、上記（ア２）、（ウ１）に記載されているように、本出願前周知の事項である。また、カッコン抽出物には抗酸化作用があることも知られている（上記（ア６）、（ア７）参照）。
　
（４）そうしてみると、引用例１発明において、化粧料組成物に配合する成分について、上記「１　相違点１について」で検討したとおり、美白効果と肌質改善効果のいずれか或いは双方を発揮し得る成分としてソウハクヒ抽出物、クロレラ抽出物、ウーロン茶抽出物、カッコン抽出物、Ｎ−アセチルチロシンを配合した際に、それぞれの成分について、既に複数知られている作用の中から、ソウハクヒ抽出物はチロシナーゼ活性阻害作用、クロレラ抽出物はメラニン合成抑制作用、ウーロン茶抽出物は活性酸素消去作用、カッコン抽出物はエストロゲン様作用の如く、既に公知の作用を特定して示すことは、当業者が容易になし得たことである。
　
（５）ところで、本願発明では、Ｎ−アセチルチロシンがヒアルロニダーゼ阻害作用を有する物質であると特定している。
　しかし、引用例３の上記（３ａ）〜（３ｄ）にあるように、Ｎ−アセチルチロシンは、メラニン生成抑制作用とともに、肌荒れ、カサツキの予防や改善、肌のキメを整える（肌質そのものの改善）効果、保湿といった美肌効果が得られる物質であることが知られている。そうすると、Ｎ−アセチルチロシンの有する作用として、既に知られている、肌荒れ、カサツキの予防や改善、肌のキメを整える（肌質そのものの改善）効果、保湿といった美肌効果の具体的な作用を、これらに寄与することが知られているヒアルロニダーゼ阻害作用として記載したにすぎず、格別なこととはいえない（上記（エ１）、（オ１）、（カ１）参照）。
　
（６）そして、ソウハクヒ抽出物、クロレラ抽出物、ウーロン茶抽出物、カッコン抽出物、及びＮ−アセチルチロシンを、それぞれチロシナーゼ活性阻害作用、メラニン合成抑制作用、活性酸素消去作用、エストロゲン様作用、及びヒアルロニダーゼ阻害作用を有するものとして配合したこと、すなわち、各成分に対してそのような作用を有することを明示したことによって、引用例１発明の美白効果と肌質改善効果を奏する化粧料組成物（美白用皮膚外用剤）に対して、格別新たな用途を提供したともいえない。
　
３　相違点３について
（１）引用例１には、ソウハクヒ抽出物の製造方法について、製造例１では、ソウハクヒの乾燥植物１００ｇを精製水（約８０℃）にて約５時間加温抽出し、濾過して抽出液（乾燥固形分：約０．１〜２．５％）を約１．０ｋｇ得たこと、製造例２では、ソウハクヒの乾燥植物１００ｇを５０％エタノール溶液に浸漬し、室温にて５昼夜抽出した後、濾過して抽出液（乾燥固形分：約０．１〜２．５％）を約１．０ｋｇ得たことが示されており（上記（１ｈ）参照）、抽出液をろ過したものをそのまま用いたことが示されているに留まる。
　
（２）そこで検討するに、植物抽出物を化粧料に配合するにあたり、抽出液を濃縮して抽出成分の濃度を高めることは普通に行うことであり、抽出された成分中の有効成分がわかっている場合、適宜公知の精製処理を施して有効成分を高度に濃縮することも当業者が適宜行うことである（上記（ア１）、（ア５）参照）。
　そして、ソウハクヒから抽出される成分は公知であるうえに（上記（ア２）参照）、チロシナーゼ活性阻害に寄与する成分も特定されている（上記（ア９）参照）。また、化粧料に配合する植物抽出物の処理に、ダイヤイオンＨＰ−２０を使用することも、上記（キ１）、（ク１）、（ケ１）、（コ１）に記載されているように、本出願前周知の事項である。
　
（３）そうしてみると、引用例１発明において、化粧料組成物に配合する成分として美白効果をも奏することが公知のソウハクヒ抽出物を選択するに際し、ソウハクヒ抽出物がチロシナーゼ活性阻害の有効成分を含有することも既に知られているのだから、化粧料組成物に配合する植物抽出物の処理に多く使用されているダイヤイオンＨＰ−２０を用いて精製処理して濃度を高めたものを用いることは、当業者が容易になし得たことであり、それによって格別予想外な技術的意義をもたらしているともいえない。
　
４　本願発明の効果について
（１）本願明細書段落【００１０】には、「各成分の相乗作用により、優れた美白効果及び日焼け後の肌質改善効果、しみ改善効果を有する安全性の高い美白用皮膚外用剤が得られるという効果を有する。」と記載されており、ソウハクヒ抽出物については、段落【００３５】に「なお、前記製造例１のカラム処理を行わないソウハクヒ抽出物とカラム処理したソウハクヒ抽出物では、約１０倍の阻害活性の差が現われた。」と記載されている。
　そして、実施例１〜３及び比較例１〜４で、各成分を併用したことによる効果を示している。
　
　そこで、本願明細書記載の実施例と比較例についてみると、いずれも本願明細書段落【００５０】に示された「美白効果用皮膚外用剤」を基準として、成分中の「（１５）薬剤（表３に記載）　５．０％」の配合を表３に記載のとおりにかえて、使用後の淡色化効果と日焼け後の肌質の改善効果を比較している。
　しかしながら、比較例１では、前記「（１５）薬剤（表３に記載）　５．０％」について、本願発明の（Ａ）成分であるソウハクヒ抽出物１．８重量％と（Ｂ）成分であるサンザシ抽出物１．０重量％と残部を５０％１，３−ブチレングリコールの２．２重量％で構成しているのに対し、比較例２では、（Ａ）成分は同じままとし、（Ｂ）成分については、サンザシ抽出物０．５重量％とセイヨウボダイジュ抽出物０．５重量％の合計で１．０重量％と、（Ｂ）成分の量としては比較例１と同じとしたうえで、さらに（Ｃ）成分であるワレモコウ抽出物０．５重量％と茶抽出物０．５重量％を合計で１．０重量％追加して添加し、５０％１，３−ブチレングリコールの量をその分を差し引いた１．２重量％としたものである。比較例３も具体的な成分の選択肢が異なるものの同様に（Ｃ）成分を追加して添加している。
　そして、比較例４では、比較例２、３に対して、さらに（Ｄ）成分であるカッコン葉抽出物（審決注：カッコン抽出物の誤記と認める）を１．０重量％追加して添加し、５０％１，３−ブチレングリコールの量をその分を差し引いた０．２重量％とし、実施例１〜３では、比較例４に対して、さらに（Ｅ）成分であるアセチルチロシンを０．２重量％追加して添加し、５０％１，３−ブチレングリコールの添加量がその分を差し引いた０重量％になっているものといえる。
　このことからみて、本願明細書記載の実施例及び比較例との比較による効果の差は、それぞれ効果があることが知られている有効成分を順次追加して配合して、有効成分の総配合量を増やしていった結果であって、当業者に自明な相加的効果の向上が示されたにすぎず、審判請求人が主張するような相乗効果を奏することが示されているものとはいえない。
　このことは、本願明細書段落【００５７】に、チロシナーゼ活性阻害作用とメラニン合成抑制作用を奏する（Ａ）成分と（Ｂ）成分が配合されている比較例１〜４、実施例１〜３すべてについて、他の成分の配合の有無に係わらず、淡色化効果に関しては差がないと記載されていることからも明らかである。
　
　また、それぞれの成分は化粧料組成物に配合できる成分としても公知のものであるから、安全性に優れていることも自明な事項であって、格別なことではない。
　さらに、カラム処理により活性が向上することも、有効成分を濃縮した当然の結果であり、予想外の効果を奏したものとはいえない。
　
（２）審判請求人は、平成２２年１月１２日受付けの意見書及び平成２３年６月２日受付けの審判請求理由の手続補正書（方式）において次の旨も主張している。
ア　本願発明は、チロシナーゼ活性阻害作用を有するソウハクヒ抽出物のエタノール溶液抽出物を、合成吸着体ダイヤイオンＨＰ−２０を充填したカラムにより処理することにより、ソウハクヒに含まれるチロシナーゼ活性阻害作用を有する物質を高濃度で抽出（分画）することに初めて成功したものである。
イ　前記分画物を用い、優れた美白効果及び日焼け後の肌質改善効果、しみ改善効果を有する安全性の高い美白用皮膚外用剤を提供可能にするものである。
ウ　植物中の有効成分を高濃度に濃縮するに際し、有効なカラム充填剤と溶媒を選択することは、決して容易ではなく、引用文献の記載から容易に想到することができるものではない。
エ　本願発明は、植物の成分を実際の美白用皮膚外用剤に適用するに当たり、数多の試行錯誤を繰り返して、その相乗効果を確かめ、実用化したものであるのに対し、引用文献に記載されているものは、単なる植物名の羅列に過ぎず、実際にその効果を試験した結果を記載したものでも、本願のように個々の効果を確かめ、これらを配合し、その配合物の美白用皮膚外用剤としての効果まで確認したものは存在せず、全く防衛的な記載の域を出ていないし、なんら実証的な事実を伴うものではない。このような引用文献の記載にのみ基づいて、本願のような地道な試験を繰り返して到達した発明の進歩性を否定すべきではない。
　
　しかし、以下の理由で、審判請求人の前記主張は採用できない。
（アについて）
　前記「３　相違点３について」で既に検討したとおり、ソウハクヒ抽出物中のチロシナーゼ活性阻害作用を有する成分は知られているのであるから（上記（ア９）参照）、それを植物抽出物の処理に多く使用されている合成吸着体ダイヤイオンＨＰ−２０を用いて高濃度で抽出することは格別なこととはいえず（上記（キ１）、（ク１）、（ケ１）、（コ１）参照）、また、合成吸着体ダイヤイオンＨＰ−２０を用いたことにより、未知の物質を抽出単離したことが示されているものでもない。
（イについて）
　本願明細書段落【００５３】にカラム処理したことにより約１０倍の阻害活性の差が現れたことが記載されているが、実施例で具体的に比較はされておらず、上記（１）で既に検討したとおり、カラム処理により有効成分を高濃度に濃縮したものを用いたことにより予測される効果の範囲を超えるものとはいえない。
（ウについて）
　引用例１には、ソウハクヒ抽出物を乾燥植物から、精製水又は５０％エタノール溶液で抽出したことが記載されている（上記（１ｈ）の製造例１、製造例２参照）。また、周知例キでは、熱水抽出物をカラムに負荷した後、１０％エタノール水溶液で洗浄し、４０％エタノール水溶液で溶出したこと（上記（キ１）参照）、周知例クには、５０質量％含水エタノールで抽出処理した抽出物のカラムからの溶出に、水、４０質量％含水メタノール、８０質量％含水メタノール、及びメタノールを順に使用し、８０質量％含水メタノール画分をさらに精製単離したこと（上記（ク１）参照）、周知例ケには、５０ｖｏｌ％エタノール溶液で抽出した抽出物をカラムに通液し、水洗した後、５０ｖｏｌ％エタノール溶液で溶出したこと（上記（ケ１）参照）、周知例コには、水で還流下に抽出し、抽出物をカラムに通して水洗した後、様々な濃度のメタノール溶液で溶出したことが記載されている（上記（コ１）参照）。
　以上のとおり、植物抽出物を合成吸着体ダイヤイオンＨＰ−２０で処理することは、当業者が広く採用していることであり、抽出溶媒としても溶出液としても、水やメタノール、エタノールのようなアルコール水溶液が普通に採用されているものである。
　それに対し、本願明細書段落【００２５】のソウハクヒ抽出物の製造例でも、３０ｖｏｌ％エタノール溶液で抽出し、カラムに通液後、３０ｖｏｌ％エタノール溶液で洗浄後、５０ｖｏｌ％エタノール溶液で溶出したことが記載されており、いずれも当業者が普通に検討する抽出溶媒、溶出液を採用しているものである。
　よって、当業者であれば、ソウハクヒ抽出物を多く採用されている抽出溶媒で得て、植物抽出物の処理に多く使用されている公知のカラムを用い、これまた多く採用されている溶出溶媒から選択される溶媒を用いて溶出して高濃度に濃縮した画分を得るのに、格別困難を要することとはいえず、本願発明の処理が、当業者に予想外のものともいえない。
（エについて）
　引用例１には、引用例１発明に列挙されている各成分単独、あるいは２種を併用してそれぞれのメラニン抑制作用、繊維芽細胞増殖促進作用を評価し（上記（１ｉ）参照）、使用効果試験による評価もしているうえ（上記（１ｍ）参照）、引用例２及び３でも、ソウハクヒ抽出物、Ｎ−アセチルチロシンの各作用を評価した結果が示されている（上記（２ｂ）、（３ｄ）参照）。
　しかも、本願発明の各配合成分は、本願明細書にも記載されているとおり、それぞれ各作用が公知のものを集めたのであるから、各成分の効果は自明であるし、上記（１）で既に検討したとおり、本願明細書には、各成分の配合による相加効果が示されているに留まり、相乗効果が確認できるとはいえない。
　
５　まとめ
　以上のとおりであり、引用例１発明において、上記相違点１〜３に係る本願発明の発明特定事項を併せ採用することに格別の創意工夫が必要であったとは認められず、併せ採用したことによって格別に予想外の作用効果を奏しているとも認められない。
　
第７　むすび
　したがって、本願発明は、引用例２、３及び周知事項を勘案して引用例１発明に基づいて当業者が容易に発明をすることができたものであるから、特許法第２９条第２項の規定により特許を受けることができないものである。
　よって、結論のとおり審決する。